Podtech/llm-jp-corpus-v4-ja_patent huggingface dataset:
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間で操作の受付けがなされた場合、該受付けに応じた受付後演出が実行開始される時点においては、前記操作関連演出表示が非表示の状態にされておらず表示されている場合と前記操作関連演出表示が非表示の状態にされている場合とがあるが、いずれの場合であっても前記消滅エフェクト表示は表示開始されておらずこれよりも後のタイミングで表示開始されうるようになっており、
前記受付後演出が実行開始される時点において前記操作関連演出表示が非表示の状態にされておらず表示されている場合、該操作関連演出表示は、前記消滅エフェクト表示が表示されるときにも非表示の状態にされておらず、該消滅エフェクト表示によって視認し難くされるかたちで表示可能とされている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間で操作の受付けがなされた場合、該受付けに応じた受付後演出が実行開始される時点においては、前記操作関連演出表示が非表示の状態にされておらず表示されている場合と前記操作関連演出表示が非表示の状態にされている場合とがあるが、いずれの場合であっても前記消滅エフェクト表示は表示開始されておらずこれよりも後のタイミングで表示開始されうるようになっており、
前記受付後演出が実行開始される時点において前記操作関連演出表示が非表示の状態にされておらず表示されている場合、該操作関連演出表示は、前記消滅エフェクト表示が表示されるときにも非表示の状態にされておらず、該消滅エフェクト表示によって視認し難くされるかたちで表示可能とされている
ことを特徴とする遊技機。
【手続補正４】
【補正対象書類名】明細書
【補正対象項目名】０００８
【補正方法】削除
【補正の内容】
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間として、特定の受付期間が用意されており、
前記特定の受付期間で前記操作関連演出表示及び前記摸画像表示が表示されているなかで操作の受付けがなされた場合、該受付けに応じた受付後演出のうち前記消滅エフェクト表示が表示開始される時点において前記操作関連演出表示及び前記摸画像表示はいずれも非表示の状態にされておらず該消滅エフェクト表示に対してその背後側に見えるように表示されており、前記操作関連演出表示及び前記摸画像表示は、該消滅エフェクト表示が表示されている間の同じタイミングで非表示の状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間として、特定の受付期間が用意されており、
前記特定の受付期間で前記操作関連演出表示及び前記摸画像表示が表示されているなかで操作の受付けがなされた場合、該受付けに応じた受付後演出のうち前記消滅エフェクト表示が表示開始される時点において前記操作関連演出表示及び前記摸画像表示はいずれも非表示の状態にされておらず該消滅エフェクト表示に対してその背後側に見えるように表示されており、前記操作関連演出表示及び前記摸画像表示は、該消滅エフェクト表示が表示されている間の同じタイミングで非表示の状態にされる
ことを特徴とする遊技機。
【手続補正４】
【補正対象書類名】明細書
【補正対象項目名】０００８
【補正方法】削除
【補正の内容】
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と
を備え、
前記受付後演出では、前記摸画像表示を視認し難くする消滅エフェクト表示と、期待度を示唆する期待演出表示とが少なくとも実行可能とされる遊技機であって、
前記受付期間として、特定の受付期間が用意されており、
前記特定の受付期間の発生に先立って、該特定の受付期間に対応する特定の前兆演出表示が表示可能とされ、該特定の前兆演出表示は、前記特定の受付期間の発生タイミングを跨るかたちで表示されるようになっており、
前記特定の受付期間内で遊技者による操作の受付けがなされた場合は、該受付けに応じた受付後演出が実行可能とされ、該受付後演出のうち前記消滅エフェクト表示が表示開始される時点においては、前記特定の前兆演出表示が非表示の状態にされておらず表示されている場合と、前記特定の前兆演出表示が表示されていない場合との両方があるようになっており、
前記特定の受付期間内で遊技者による操作の受付けがなされない場合は、該受付けがなされたときと同じ受付後演出が実行可能とされるが、該受付後演出のうち前記消滅エフェクト表示が表示開始される時点において前記特定の前兆演出表示が表示されている場合はないようになっており、
前記特定の受付期間に対応する前記受付後演出のうち前記消滅エフェクト表示が表示開始される時点において前記特定の前兆演出表示が表示されている場合、前記消滅エフェクト表示は、該特定の前兆演出表示が視認し難くされるように表示可能である
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と
を備え、
前記受付後演出では、前記摸画像表示を視認し難くする消滅エフェクト表示と、期待度を示唆する期待演出表示とが少なくとも実行可能とされる遊技機であって、
前記受付期間として、特定の受付期間が用意されており、
前記特定の受付期間の発生に先立って、該特定の受付期間に対応する特定の前兆演出表示が表示可能とされ、該特定の前兆演出表示は、前記特定の受付期間の発生タイミングを跨るかたちで表示されるようになっており、
前記特定の受付期間内で遊技者による操作の受付けがなされた場合は、該受付けに応じた受付後演出が実行可能とされ、該受付後演出のうち前記消滅エフェクト表示が表示開始される時点においては、前記特定の前兆演出表示が非表示の状態にされておらず表示されている場合と、前記特定の前兆演出表示が表示されていない場合との両方があるようになっており、
前記特定の受付期間内で遊技者による操作の受付けがなされない場合は、該受付けがなされたときと同じ受付後演出が実行可能とされるが、該受付後演出のうち前記消滅エフェクト表示が表示開始される時点において前記特定の前兆演出表示が表示されている場合はないようになっており、
前記特定の受付期間に対応する前記受付後演出のうち前記消滅エフェクト表示が表示開始される時点において前記特定の前兆演出表示が表示されている場合、前記消滅エフェクト表示は、該特定の前兆演出表示が視認し難くされるように表示可能である
ことを特徴とする遊技機。
【手続補正４】
【補正対象書類名】明細書
【補正対象項目名】０００８
【補正方法】削除
【補正の内容】
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると表示変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態では、時間経過に応じて表示面積が減少する残り時間示唆描写が現れうるようになっており、
前記受付許容状態には、
第１条件が満たされた場合に発生するものであり、操作が検出されると当該受付許容状態に対応する第１表示変化を生じさせるが、操作が検出されないときには当該受付許容状態に対応する第１表示変化を生じさせない第１受付許容状態、
第２条件が満たされた場合に発生するものであり、操作が検出されると当該受付許容状態に対応する第２表示変化を生じさせ、操作が検出されないときにも当該受付許容状態に対応する第２表示変化を生じさせる第２受付許容状態、及び
第３条件が満たされた場合に発生するものであり、操作が検出されると当該受付許容状態に対応する第３表示変化を生じさせるが、操作が検出されないときには当該受付許容状態に対応する第３表示変化を生じさせない第３受付許容状態、
が含まれており、
前記摸画像表示としての前記特別態様は、前記第１受付許容状態、前記第２受付許容状態、及び前記第３受付許容状態のうち前記第２受付許容状態が発生する場合にのみ現れうるが、該第２受付許容状態が発生する場合には、前記摸画像表示として前記特別態様とは異なる態様が現れる場合もあるようになっており、
前記残り時間示唆描写は、前記第１受付許容状態、前記第２受付許容状態、及び前記第３受付許容状態のうち、前記第１受付許容状態が発生する場合と前記第２受付許容状態が発生する場合とでは現れるが、前記第３受付許容状態が発生する場合には現れないようになっており、
さらに、
前記第１受付許容状態及び前記第２受付許容状態のいずれかが発生する場合は、操作機会が付与されることを示唆する受付許容音が可聴出力されうるが、前記第３受付許容状態が発生する場合は、操作機会が付与されることを示唆する前記受付許容音が可聴出力されない
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると表示変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態では、時間経過に応じて表示面積が減少する残り時間示唆描写が現れうるようになっており、
前記受付許容状態には、
第１条件が満たされた場合に発生するものであり、操作が検出されると当該受付許容状態に対応する第１表示変化を生じさせるが、操作が検出されないときには当該受付許容状態に対応する第１表示変化を生じさせない第１受付許容状態、
第２条件が満たされた場合に発生するものであり、操作が検出されると当該受付許容状態に対応する第２表示変化を生じさせ、操作が検出されないときにも当該受付許容状態に対応する第２表示変化を生じさせる第２受付許容状態、及び
第３条件が満たされた場合に発生するものであり、操作が検出されると当該受付許容状態に対応する第３表示変化を生じさせるが、操作が検出されないときには当該受付許容状態に対応する第３表示変化を生じさせない第３受付許容状態、
が含まれており、
前記摸画像表示としての前記特別態様は、前記第１受付許容状態、前記第２受付許容状態、及び前記第３受付許容状態のうち前記第２受付許容状態が発生する場合にのみ現れうるが、該第２受付許容状態が発生する場合には、前記摸画像表示として前記特別態様とは異なる態様が現れる場合もあるようになっており、
前記残り時間示唆描写は、前記第１受付許容状態、前記第２受付許容状態、及び前記第３受付許容状態のうち、前記第１受付許容状態が発生する場合と前記第２受付許容状態が発生する場合とでは現れるが、前記第３受付許容状態が発生する場合には現れないようになっており、
さらに、
前記第１受付許容状態及び前記第２受付許容状態のいずれかが発生する場合は、操作機会が付与されることを示唆する受付許容音が可聴出力されうるが、前記第３受付許容状態が発生する場合は、操作機会が付与されることを示唆する前記受付許容音が可聴出力されない
ことを特徴とする遊技機。
【手続補正４】
【補正対象書類名】明細書
【補正対象項目名】０００８
【補正方法】削除
【補正の内容】
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果が特別の結果である場合、特典を付与しうる特典付与手段と、
遊技者による操作によって変位する操作受け部と、
遊技者に対して操作機会が付与される受付許容状態を発生可能な許容状態発生手段と、
前記受付許容状態において、前記操作受け部に所定変位が生じたことにより操作受付が発生すると、該操作受付に応じた受付後演出を実行可能な操作受付実行手段と
を備え、
前記受付許容状態では、前記操作受け部を摸した摸画像表示と、該摸画像表示とは異なる特定表示とが所定の表示画面内において現れうる遊技機であって、
前記摸画像表示は、第１配色及び第２配色を含む複数の配色のいずれかで表示可能とされるものであり、
前記受付許容状態のうち所定の受付許容状態では、前記摸画像表示が前記第１配色で表示された場合、前記第２配色で表示された場合よりも前記判定手段の判定結果が特別の結果である割合が高いようになっており、
前記受付許容状態において前記摸画像表示が前記第１配色で表示される場合は、当該受付許容状態が発生してから終了されるまでにわたって前記特定表示の表示面積が時間経過に応じて減少される残り時間描写が現れるようになっており、
前記受付許容状態において前記摸画像表示が前記第２配色で表示される場合は、当該受付許容状態が発生してから終了されるまでにわたって前記特定表示の表示面積が時間経過に応じて減少される残り時間描写が現れる場合と、当該受付許容状態が発生してから終了されるまでの間に前記特定表示の表示面積が時間経過に応じて減少される残り時間描写が一切現れない場合とがあるようになっており、
さらに、
前記所定の受付許容状態の発生タイミングを跨るかたちで所定の前兆演出表示が表示可能とされるとともに、前記所定の受付許容状態で前記操作受付が発生すると前記摸画像表示が視認し難くされる所定の消滅ＥＦ表示が表示可能とされており、
前記所定の受付許容状態の発生タイミングを跨るかたちで表示可能とされる前記所定の前兆演出表示が表示されているなかで前記操作受付が発生した場合、該操作受付に応じた前記受付後演出が実行開始される時点において、前記所定の前兆演出表示は非表示の状態にされておらず表示されており且つ前記所定の消滅ＥＦ表示は未だ表示を開始していない状態になっている
ことを特徴とする遊技機。
【請求項２】
前記特定表示は、複数の大きさまたは複数の形状のいずれかで表示されうる
請求項１に記載の遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果が特別の結果である場合、特典を付与しうる特典付与手段と、
遊技者による操作によって変位する操作受け部と、
遊技者に対して操作機会が付与される受付許容状態を発生可能な許容状態発生手段と、
前記受付許容状態において、前記操作受け部に所定変位が生じたことにより操作受付が発生すると、該操作受付に応じた受付後演出を実行可能な操作受付実行手段と
を備え、
前記受付許容状態では、前記操作受け部を摸した摸画像表示と、該摸画像表示とは異なる特定表示とが所定の表示画面内において現れうる遊技機であって、
前記摸画像表示は、第１配色及び第２配色を含む複数の配色のいずれかで表示可能とされるものであり、
前記受付許容状態のうち所定の受付許容状態では、前記摸画像表示が前記第１配色で表示された場合、前記第２配色で表示された場合よりも前記判定手段の判定結果が特別の結果である割合が高いようになっており、
前記受付許容状態において前記摸画像表示が前記第１配色で表示される場合は、当該受付許容状態が発生してから終了されるまでにわたって前記特定表示の表示面積が時間経過に応じて減少される残り時間描写が現れるようになっており、
前記受付許容状態において前記摸画像表示が前記第２配色で表示される場合は、当該受付許容状態が発生してから終了されるまでにわたって前記特定表示の表示面積が時間経過に応じて減少される残り時間描写が現れる場合と、当該受付許容状態が発生してから終了されるまでの間に前記特定表示の表示面積が時間経過に応じて減少される残り時間描写が一切現れない場合とがあるようになっており、
さらに、
前記所定の受付許容状態の発生タイミングを跨るかたちで所定の前兆演出表示が表示可能とされるとともに、前記所定の受付許容状態で前記操作受付が発生すると前記摸画像表示が視認し難くされる所定の消滅ＥＦ表示が表示可能とされており、
前記所定の受付許容状態の発生タイミングを跨るかたちで表示可能とされる前記所定の前兆演出表示が表示されているなかで前記操作受付が発生した場合、該操作受付に応じた前記受付後演出が実行開始される時点において、前記所定の前兆演出表示は非表示の状態にされておらず表示されており且つ前記所定の消滅ＥＦ表示は未だ表示を開始していない状態になっている
ことを特徴とする遊技機。
【手続補正４】
【補正対象書類名】明細書
【補正対象項目名】０００８
【補正方法】削除
【補正の内容】
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作によって変位する操作受け部と、
遊技者に対して操作機会が付与される受付許容状態を発生可能な許容状態発生手段と、
前記受付許容状態において、前記操作受け部に第１位置から第２位置への所定変位が生じたことにより操作受付が発生すると、該操作受付に応じた受付後演出を実行可能な操作受付実行手段と
を備え、
前記受付許容状態では、前記操作受け部を摸した摸画像表示と、残り時間を示唆する残り時間示唆表示とが所定の表示画面内において現れうる遊技機であって、
前記受付許容状態として、第１の受付許容状態及び第２の受付許容状態が少なくとも用意されており、
前記第１の受付許容状態が発生する場合、該第１の受付許容状態が発生するよりも前の前兆演出期間と、当該第１の受付許容状態とのいずれにおいても、前記操作受け部を摸した摸画像表示が表示されるが、該摸画像表示は、前記前兆演出期間及び前記第１の受付許容状態のうちの前記第１の受付許容状態においてのみ前記操作受け部に前記第１位置から前記第２位置への所定変位が生じるときの該操作受け部の動きを描写する動的表示が行われ、
前記第１の受付許容状態においては、前記残り時間示唆表示が行われ、前記第１の受付許容状態が発生するよりも前の前兆演出期間及び前記第２の受付許容状態においては、前記残り時間示唆表示が行われないようになっており、
さらに、
前記残り時間示唆表示が行われず且つ前記摸画像表示が表示される状態のうち、前記第１の受付許容状態が発生するよりも前の前兆演出期間では、前記操作受け部に前記第１位置から前記第２位置への所定変位が生じるときの該操作受け部の動きを描写する動的表示が行われないが、前記第２の受付許容状態では、前記操作受け部に前記第１位置から前記第２位置への所定変位が生じるときの該操作受け部の動きを描写する動的表示が行われるようになっており、
さらに、
前記受付許容状態が発生することを示唆する特定の前兆演出表示が当該受付許容状態の発生タイミングを跨るかたちで表示可能とされるとともに、前記受付許容状態で前記操作受付が発生すると前記摸画像表示が視認し難くされる特定の消滅ＥＦ表示が表示可能とされており、
前記受付許容状態の発生タイミングを跨るかたちで表示可能とされる前記特定の前兆演出表示が表示されているなかで前記操作受付が発生した場合、該操作受付に応じた前記受付後演出が実行開始される時点において、前記特定の前兆演出表示は非表示の状態にされておらず表示されており、
さらに、
前記受付許容状態の発生タイミングを跨るかたちで表示可能とされる前記特定の前兆演出表示が表示されているなかで前記操作受付が発生して前記特定の消滅ＥＦ表示が表示される場合、該特定の消滅ＥＦ表示が表示開始される時点において、前記特定の前兆演出表示は非表示の状態にされておらず表示されているが、該特定の前兆演出表示は、前記特定の消滅ＥＦ表示に対してその背後側に見えるように表示されている
ことを特徴とする遊技機。
【請求項２】
前記第１の受付許容状態が発生するよりも前の前兆演出期間において表示される前記摸画像表示は、前記第１の受付許容状態において表示される前記摸画像表示とは異なる表示である
請求項１に記載の遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作によって変位する操作受け部と、
遊技者に対して操作機会が付与される受付許容状態を発生可能な許容状態発生手段と、
前記受付許容状態において、前記操作受け部に第１位置から第２位置への所定変位が生じたことにより操作受付が発生すると、該操作受付に応じた受付後演出を実行可能な操作受付実行手段と
を備え、
前記受付許容状態では、前記操作受け部を摸した摸画像表示と、残り時間を示唆する残り時間示唆表示とが所定の表示画面内において現れうる遊技機であって、
前記受付許容状態として、第１の受付許容状態及び第２の受付許容状態が少なくとも用意されており、
前記第１の受付許容状態が発生する場合、該第１の受付許容状態が発生するよりも前の前兆演出期間と、当該第１の受付許容状態とのいずれにおいても、前記操作受け部を摸した摸画像表示が表示されるが、該摸画像表示は、前記前兆演出期間及び前記第１の受付許容状態のうちの前記第１の受付許容状態においてのみ前記操作受け部に前記第１位置から前記第２位置への所定変位が生じるときの該操作受け部の動きを描写する動的表示が行われ、
前記第１の受付許容状態においては、前記残り時間示唆表示が行われ、前記第１の受付許容状態が発生するよりも前の前兆演出期間及び前記第２の受付許容状態においては、前記残り時間示唆表示が行われないようになっており、
さらに、
前記残り時間示唆表示が行われず且つ前記摸画像表示が表示される状態のうち、前記第１の受付許容状態が発生するよりも前の前兆演出期間では、前記操作受け部に前記第１位置から前記第２位置への所定変位が生じるときの該操作受け部の動きを描写する動的表示が行われないが、前記第２の受付許容状態では、前記操作受け部に前記第１位置から前記第２位置への所定変位が生じるときの該操作受け部の動きを描写する動的表示が行われるようになっており、
さらに、
前記受付許容状態が発生することを示唆する特定の前兆演出表示が当該受付許容状態の発生タイミングを跨るかたちで表示可能とされるとともに、前記受付許容状態で前記操作受付が発生すると前記摸画像表示が視認し難くされる特定の消滅ＥＦ表示が表示可能とされており、
前記受付許容状態の発生タイミングを跨るかたちで表示可能とされる前記特定の前兆演出表示が表示されているなかで前記操作受付が発生した場合、該操作受付に応じた前記受付後演出が実行開始される時点において、前記特定の前兆演出表示は非表示の状態にされておらず表示されており、
さらに、
前記受付許容状態の発生タイミングを跨るかたちで表示可能とされる前記特定の前兆演出表示が表示されているなかで前記操作受付が発生して前記特定の消滅ＥＦ表示が表示される場合、該特定の消滅ＥＦ表示が表示開始される時点において、前記特定の前兆演出表示は非表示の状態にされておらず表示されているが、該特定の前兆演出表示は、前記特定の消滅ＥＦ表示に対してその背後側に見えるように表示されている
ことを特徴とする遊技機。
【手続補正４】
【補正対象書類名】明細書
【補正対象項目名】０００８
【補正方法】削除
【補正の内容】
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生するのに先立って、該受付期間が発生することを示唆する特定の前兆演出表示を表示可能な前兆演出実行手段と
を備え、
前記特定の前兆演出表示は、前記受付期間が発生するタイミングに跨るかたちで実行可能とされており、該特定の前兆演出表示が表示されているなかで前記操作手段に対する操作が受付けされると、該受付けに応じた受付後演出が実行開始されるが、該受付後演出が実行開始される時点において、前記特定の前兆演出表示は非表示にされておらず、該特定の前兆演出表示が非表示になるまでの間に該特定の前兆演出表示とは別の演出表示が表示され、前記受付後演出が実行開始される時点では表示されていなかった該別の演出表示によって当該特定の前兆演出表示が視認し難くされるようになっており、
さらに、
前記受付後演出が実行開始される時点では表示されていなかった前記別の演出表示によって前記特定の前兆演出表示が視認し難くされた場合、該特定の前兆演出表示は、前記受付後演出が実行途中の状態にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生するのに先立って、該受付期間が発生することを示唆する特定の前兆演出表示を表示可能な前兆演出実行手段と
を備え、
前記特定の前兆演出表示は、前記受付期間が発生するタイミングに跨るかたちで実行可能とされており、該特定の前兆演出表示が表示されているなかで前記操作手段に対する操作が受付けされると、該受付けに応じた受付後演出が実行開始されるが、該受付後演出が実行開始される時点において、前記特定の前兆演出表示は非表示にされておらず、該特定の前兆演出表示が非表示になるまでの間に該特定の前兆演出表示とは別の演出表示が表示され、前記受付後演出が実行開始される時点では表示されていなかった該別の演出表示によって当該特定の前兆演出表示が視認し難くされるようになっており、
さらに、
前記受付後演出が実行開始される時点では表示されていなかった前記別の演出表示によって前記特定の前兆演出表示が視認し難くされた場合、該特定の前兆演出表示は、前記受付後演出が実行途中の状態にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンのｐ−トルエンスルホン酸塩。
【請求項２】
１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンのｐ−トルエンスルホン酸塩の結晶形態。
【請求項３】
２θに関して、１１．４、１４．１、１６．７、１７．９および２１．６°２θ±０．２°２θにピークを含む粉末Ｘ線回折パターンを有する、請求項２に記載の結晶形態。
【請求項４】
１７．３、２１．３、２８．７、１３１．６、および１４７．９ｐｐｍ±０．２ｐｐｍからなる群から選択される固体１３Ｃ核磁気共鳴化学シフトを有する、請求項２に記載の結晶形態。
【請求項５】
１６１７、１６０１、１０４０、１０３２、７９９および７６６ｃｍ−１±２ｃｍ−１におけるラマンバンドのセットを有する、請求項２に記載の結晶形態。
【請求項６】
２θに関して、１１．４、１６．７、１７．９°２θ±０．２°２θにピークを含む粉末Ｘ線回折パターン、および１３１．６、１４７．９ｐｐｍ±０．２ｐｐｍからなる群から選択される固体１３Ｃ核磁気共鳴化学シフトを有する、請求項２に記載の結晶形態。
【請求項７】
２θに関して、１１．４、１６．７、１７．９°２θ±０．２°２θにピークを含む粉末Ｘ線回折パターン、１６１７、１６０１ｃｍ−１±２ｃｍ−１におけるラマンバンドのセットを有する、請求項２に記載の結晶形態。
【請求項８】
２θに関して、１１．４、１６．７、１７．９°２θ±０．２°２θにピークを含む粉末Ｘ線回折パターン、１６１７、１６０１ｃｍ−１±２ｃｍ−１におけるラマンバンドのセットおよび１３１．６、１４７．９ｐｐｍ±０．２ｐｐｍからなる群から選択される固体１３Ｃ核磁気共鳴化学シフトを有する、請求項２に記載の結晶形態。
【請求項９】
請求項２の結晶形態を含む医薬組成物。
【請求項１０】
関節リウマチ、筋炎、血管炎、天疱瘡、水疱性類天疱瘡、炎症性腸疾患、クローン病、潰瘍性大腸炎、セリアック病、直腸炎、好酸球性胃腸炎、肥満細胞症、アルツハイマー病、狼瘡、腎炎、全身性紅斑性狼瘡、乾癬、湿疹皮膚炎、そう痒症または他のそう痒性状態、白斑、脱毛症、自己免疫性甲状腺障害、多発性硬化症、大うつ病障害、アレルギー、喘息、シェーグレン病、ライター症候群、多発性筋炎−皮膚筋炎、全身性硬化症、結節性多発性動脈炎、橋本甲状腺炎、自己免疫性溶血性貧血、悪性貧血の自己免疫性萎縮性胃炎、自己免疫性脳脊髄炎、自己免疫性精巣炎、グッドパスチャー病、自己免疫性血小板減少症、交感性眼炎、重症筋無力症、グレーブス病、原発性胆汁性肝硬変、慢性攻撃性肝炎、膜性糸球体症、臓器移植拒絶、移植片対宿主病、臓器および細胞移植拒絶、異種移植、コーガン症候群、強直性脊椎炎、ヴェーゲナー肉芽腫症、自己免疫性脱毛症、Ｉ型または若年性発症糖尿病、糖尿病由来の合併症、甲状腺炎、慢性肺閉塞性障害、急性呼吸器疾患、悪液質、癌、消化／胃腸管癌、結腸癌、肝臓癌、皮膚癌、肥満細胞腫瘍、扁平上皮癌腫、乳房、乳腺癌、卵巣癌、前立腺癌、白血病、成人Ｔ細胞白血病活性化Ｂ細胞様、びまん性大細胞型Ｂ細胞リンパ腫、腎臓癌、肺癌、筋肉癌、骨癌、膀胱癌、脳腫瘍、黒色腫、口腔または転移性黒色腫、カポジ肉腫敗血症性ショック、心肺機能障害、急性骨髄性白血病、Ｔ細胞急性リンパ芽球性白血病、多発性骨髄腫、骨髄増殖性障害、増殖性糖尿病性網膜症、血管新生関連障害、固形腫瘍、膵癌、脳腫瘍、神経膠腫、星状細胞腫、乏突起膠腫、神経膠芽腫、急性ＣＮＳ外傷、外傷性脳損傷、脳炎、脳卒中、脊髄損傷、てんかん、発作、神経変性に関連する慢性神経炎症、パーキンソン病、筋萎縮性側索硬化症、ハンチントン病、脳虚血、前頭側頭葉認知症、神経精神障害、統合失調症、双極性障害、治療抵抗性うつ病、心的外傷後ストレス障害、不安、自己抗体媒介性脳症、眼疾患、眼の自己免疫疾患、角結膜炎、春季結膜炎、ブドウ膜炎、ベーチェット病に関連するブドウ膜炎および水晶体原性ブドウ膜炎、角膜炎、ヘルペス性角膜炎、円錐角膜炎、角膜上皮ジストロフィー、角膜白斑、眼天疱瘡、モーレン潰瘍、強膜炎、グレーブス眼症、フォークト−小柳−原田症候群、乾性角結膜炎（ドライアイ）、フリクテン、虹彩毛様体炎、サルコイドーシス、内分泌性眼症、交感性眼球炎、アレルギー性結膜炎、および眼新血管新生から選択される障害または状態を治療するための、請求項１に記載の塩を含む医薬組成物。
【請求項１１】
疾患が潰瘍性大腸炎である、請求項１０に記載の医薬組成物。
【請求項１２】
疾患が関節リウマチである、請求項１０に記載の医薬組成物。
【請求項１３】
疾患が円形脱毛症である、請求項１０に記載の医薬組成物。
【請求項１４】
疾患が乾癬である、請求項１０に記載の医薬組成物。
【請求項１５】
適当な溶媒に溶解させたｐ−トルエンスルホン酸一水和物と１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンの溶液を撹拌することを含む、１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンのｐ−トルエンスルホン酸塩を作製する方法。
【請求項１６】
適当な溶媒が、メチルエチルケトンと水の混合物またはアセトニトリル／エタノールのいずれかである、請求項１５に記載の方法。
【請求項１７】
１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンを作製する方法であって、構造：
【化１】
2020066629.tif 000001
を有する化合物を構造：
【化２】
2020066629.tif 000002
（式中、ＸおよびＹは、それぞれ独立に塩素、臭素およびヨウ素からなる群から選択される）を有する化合物と、１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンを形成するのに適した塩基性条件下で反応させることを含む、方法。
【請求項１８】
前記塩をもたらすのに適した条件下でｐ−トルエンスルホン酸と反応させることによって、１−（（２Ｓ，５Ｒ）−５−（（７Ｈ−ピロロ［２，３−ｄ］ピリミジン−４−イル）アミノ）−２−メチルピペリジン−１−イル）プロパ−２−エン−１−オンのｐ−トルエンスルホン酸塩を形成することをさらに含む、請求項１７に記載の方法。
【請求項１９】
構造：
【化３】
2020066629.tif 000003
（式中、Ｒは、フェニル、トルイル、キシリルおよびピリジルから選択されるアリール基である）を有する化合物。
【請求項２０】
Ｒがフェニルである、請求項１９に記載の化合物。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
被処理物を凍結乾燥させて凍結乾燥生成物を製造する方法であって、
液体を密封状態に保持することが可能に構成された、前記被処理物が内部に収納された袋体を有する凍結乾燥用袋を用意する工程と、
前記被処理物を凍結乾燥処理する工程と、
を含み、
前記袋体は、少なくとも一部が、液体及び菌不透過性の多孔質シートによって構成されており、
前記被処理物を凍結乾燥処理する工程では、前記多孔質シートを介して前記被処理物に昇華熱を供給することによって、前記被処理物の水分を気体へと昇華させるとともに、前記気体を、前記多孔質シートを通して前記袋体から排出させる凍結乾燥生成物の製造方法。
【請求項２】
請求項１に記載の凍結乾燥生成物の製造方法において、
前記被処理物を凍結乾燥処理する工程では、赤外線ヒーターによって前記昇華熱を供給する凍結乾燥生成物の製造方法。
【請求項３】
請求項１又は請求項２に記載の凍結乾燥生成物の製造方法において、
前記凍結乾燥用袋は、前記袋体の内部に前記被処理物を無菌的に供給するための無菌ポートを有する凍結乾燥生成物の製造方法。
【請求項４】
請求項１から請求項３のいずれかに記載の凍結乾燥生成物の製造方法において、
前記被処理物を供給する工程は、前記袋体のサイズ情報と前記被処理物の種類情報とに基づいて、前記被処理物の厚みが所望の値になるように、前記被処理物の量を調整する工程を含む凍結乾燥生成物の製造方法。
【請求項５】
請求項１から請求項３のいずれかに記載の凍結乾燥生成物の製造方法において、
前記凍結乾燥用袋を用意する工程は、前記被処理物の種類及び処理量情報に基づいて、前記被処理物を供給したときに、前記被処理物の厚みが所望の値になるように、前記凍結乾燥用袋を選定する工程を含む凍結乾燥生成物の製造方法。
【請求項６】
被処理物を凍結乾燥させて凍結乾燥生成物を製造する凍結乾燥装置であって、
液体を密封状態に保持することが可能に構成された、前記被処理物が内部に収納された袋体を有する凍結乾燥用袋を格納し、前記被処理物を凍結乾燥させる凍結乾燥室と、
前記凍結乾燥室を減圧する減圧機構と、
前記被処理物に昇華熱を付与する加熱機構と、
を有し、
前記袋体の少なくとも一部が、液体及び菌不透過性の多孔質シートによって構成されており、
前記加熱機構は、前記多孔質シートを介して、前記被処理物に昇華熱を付与する凍結乾燥装置。
【請求項７】
請求項６に記載の凍結乾燥装置において、
前記加熱機構は赤外線ヒーターである凍結乾燥装置。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない正の屈折力を有する第１レンズ群と、変倍のためにそれぞれ移動する２つ乃至４つ群のうちのいずれかの変倍レンズ群と、変倍のためには移動しない正の屈折力を有するレンズ群とから構成されたズームレンズであって、
前記第１レンズ群は、物体側から像側へ順に、負の屈折力を有し合焦のためには移動しない第１サブレンズ群と、正の屈折力を有し合焦のために移動する第２サブレンズ群と、正の屈折力を有し合焦のためには移動しない第３サブレンズ群とからなり、前記第１サブレンズ群を構成するレンズのうち負の屈折力を有し且つアッベ数が最も大きいレンズのアッベ数をνｎ１１とし、該レンズの部分分散比をθｎ１１とし、前記第３サブレンズ群を構成するレンズのうち正の屈折力を有し且つアッベ数が最も小さいレンズのアッベ数をνｐ１３とし、該レンズの部分分散比をθｐ１３としたとき、
２．００＜νｎ１１／νｐ１３
θｎ１１／θｐ１３＜０．９１
なる条件式を満足することを特徴とするズームレンズ。
但し、ｇ線における屈折率をＮｇとし、Ｃ線における屈折率をＮＣとし、ｄ線における屈折率をＮｄとし、Ｆ線における屈折率をＮＦとして、アッベ数νおよび部分分散比θは、それぞれ
ν＝（Ｎｄ−１）／（ＮＦ−ＮＣ）および
θ＝（Ｎｇ−ＮＦ）／（ＮＦ−ＮＣ）
で表されるものとする。
【請求項２】
前記ズームレンズの広角端での屈折力をφｗとし、前記第１レンズ群の屈折力をφ１とし、前記第１レンズ群を構成する負の屈折力を有するレンズのアッベ数のうちνｎ１１を除いたアッベ数の平均値をνａｎとして、
−０．２０＜（１／νｎ１１−１／νａｎ）／（φ１／φｗ）＜−０．０５
なる条件式を満足することを特徴とする請求項１に記載のズームレンズ。
【請求項３】
前記ズームレンズの望遠端での屈折力をφｔとし、前記第１レンズ群の屈折力をφ１とし、前記第１レンズ群を構成する正の屈折力を有するレンズのアッベ数のうちνｐ１３を除いたアッベ数の平均値をνａｐとして、
０．００５＜（１／νｐ１３−１／νａｐ）／（φ１／φｔ）＜０．０２０
なる条件式を満足することを特徴とする請求項１または２に記載のズームレンズ。
【請求項４】
前記第１レンズ群の屈折力をφ１とし、前記第１サブレンズ群を構成するレンズのうち負の屈折力を有し且つアッベ数が最も大きい前記レンズの屈折力をφｎ１１として、
−０．４０＜φｎ１１／φ１＜−０．１５
なる条件式を満足することを特徴とする請求項１乃至３のいずれか１項に記載のズームレンズ。
【請求項５】
前記第１レンズ群の屈折力をφ１とし、前記第３サブレンズ群を構成するレンズのうち正の屈折力を有し且つアッベ数が最も小さい前記レンズの屈折力をφｐ１３とし、
０．００５＜φｐ１３／φ１＜０．４００
なる条件式を満足することを特徴とする請求項１乃至４のいずれか１項に記載のズームレンズ。
【請求項６】
請求項１乃至５のいずれか１項に記載のズームレンズと、前記ズームレンズによって形成された像を受ける撮像素子と、を有することを特徴とする撮像装置。
【手続補正書】
【提出日】令和2年10月22日(2020.10.22)
【手続補正１】
【補正対象書類名】明細書
【補正対象項目名】００４９
【補正方法】変更
【補正の内容】
【００４９】
［防眩層形成用組成物１］
・基材樹脂：ＵＶ／ＥＢ硬化性樹脂  ライトアクリレートＰＥ−３Ａ（ペンタエリスリトールトリアクリレート、共栄社化学株式会社製）、屈折率１．５２
９１．７質量部・樹脂粒子（フィラー）：ポリスチレン粒子、平均粒子径２．０μｍ、屈折率１．５９５
１．０質量部・無機微粒子１：合成スメクタイト                                    ０．５質量部・無機微粒子２：アルミナナノ粒子、平均粒径４０ｎｍ                  ２．０質量部・光重合開始剤：イルガキュア１８４（ＢＡＳＦジャパン製）            ４．８質量部
尚、溶媒として、トルエン及びイソプロピルアルコールを１６：３７の割合で混合した混合溶剤を使用した。
【手続補正２】
【補正対象書類名】明細書
【補正対象項目名】００５０
【補正方法】変更
【補正の内容】
【００５０】
［防眩層形成用組成物２］
・基材樹脂：ＵＶ／ＥＢ硬化性樹脂  ライトアクリレートＰＥ−３Ａ（ペンタエリスリトールトリアクリレート、共栄社化学株式会社製）、屈折率１．５２
９１．７質量部
・樹脂粒子（フィラー）：スチレン−メタクリル酸メチル共重合粒子、平均粒子径２．０μｍ、屈折率１．５１５
１．０質量部・無機微粒子１：合成スメクタイト                                    ０．５質量部・無機微粒子２：アルミナナノ粒子、平均粒径４０ｎｍ                  ２．０質量部・光重合開始剤：イルガキュア１８４（ＢＡＳＦジャパン製）            ４．８質量部
尚、溶媒として、トルエン及びイソプロピルアルコールを１６：３７の割合で混合した混合溶剤を使用した。
【手続補正３】
【補正対象書類名】明細書
【補正対象項目名】００５１
【補正方法】変更
【補正の内容】
【００５１】
［防眩層形成用組成物３］
・基材樹脂：ＵＶ／ＥＢ硬化性樹脂  ライトアクリレートＰＥ−３Ａ（ペンタエリスリトールトリアクリレート、共栄社化学株式会社製）、屈折率１．５２
８２．４質量部・樹脂粒子（フィラー）：スチレン−メタクリル酸メチル共重合粒子、平均粒子径３．３５μｍ、屈折率１．５６５
１０．０質量部・無機微粒子１：合成スメクタイト                                    １．８質量部・無機微粒子２：アルミナナノ粒子、平均粒径４０ｎｍ                  １．０質量部・光重合開始剤：イルガキュア１８４（ＢＡＳＦジャパン製）            ４．８質量部
尚、溶媒として、トルエンを使用した。
【手続補正４】
【補正対象書類名】明細書
【補正対象項目名】００５２
【補正方法】変更
【補正の内容】
【００５２】
［防眩層形成用組成物４］
・基材樹脂：ＵＶ／ＥＢ硬化性樹脂  ライトアクリレートＰＥ−３Ａ（ペンタエリスリトールトリアクリレート、共栄社化学株式会社製）、屈折率１．５２
８２．４質量部・樹脂粒子（フィラー）：ポリスチレン粒子、平均粒子径３．５μｍ、屈折率１．５９５
１０．０質量部・無機微粒子１：合成スメクタイト                                    １．８質量部・無機微粒子２：アルミナナノ粒子、平均粒径４０ｎｍ                  １．０質量部・光重合開始剤：イルガキュア１８４（ＢＡＳＦジャパン製）            ４．８質量部
尚、溶媒として、トルエンを使用した。
【手続補正５】
【補正対象書類名】明細書
【補正対象項目名】００５６
【補正方法】変更
【補正の内容】
【００５６】
（実施例５）
実施例１における防眩層形成用組成物１の代わりに防眩層形成用組成物２を使用したことを除き、実施例１と同じ方法により光学積層体を作成した。
【手続補正６】
【補正対象書類名】明細書
【補正対象項目名】００５７
【補正方法】変更
【補正の内容】
【００５７】
（実施例６）
実施例１における防眩層形成用組成物１の代わりに防眩層形成用組成物３を使用したことを除き、実施例１と同じ方法により光学積層体を作成した。
【手続補正７】
【補正対象書類名】明細書
【補正対象項目名】００５８
【補正方法】変更
【補正の内容】
【００５８】
（実施例７）
実施例１における防眩層形成用組成物１の代わりに防眩層形成用組成物４を使用したことを除き、実施例１と同じ方法により光学積層体を作成した。